(57)【要約】【課題】本発明は、目的地の設定をしなくても、エネルギー消費を抑えることができる車両用空調装置の提供を目的とする。【解決手段】車両用空調装置３０は、ナビゲーション装置１０からの自車位置情報を使ってコンプレッサ３２の作動を制御する制御装置２０を備え、制御装置２０は、コンプレッサ３２が作動中であるという第１のコンプレッサ作動情報と、ナビゲーション装置１０から受信する自車が道路上から道路外に移動したという第１の移動情報とからなる２つの情報に基づいてコンプレッサ３２を停止させる。【効果】自車が道路上から道路外に移動したかどうかはナビゲーション装置で判断できるため、目的地を設定しなくても、エネルギー消費を抑えることができる。【選択図】図１
2010228499.tif 000002
【特許請求の範囲】
【請求項１】
ナビゲーション装置からの自車位置情報を使ってコンプレッサの作動を制御する制御装置を備えた車両用空調装置であって、
前記制御装置は、コンプレッサが作動中であるという第１のコンプレッサ作動情報と、
前記ナビゲーション装置から受信する自車が道路上から道路外に移動したという第１の移動情報と、
からなる２つの情報に基づいてコンプレッサを停止させることを特徴とする車両用空調装置。
【請求項２】
前記制御装置は、前記第１のコンプレッサ作動情報と、
前記第１の移動情報と、
室内温度と室内設定温度との差が所定値未満であるという第１の温度情報と、
からなる３つの情報に基づいてコンプレッサを停止させることを特徴とする請求項１記載の車両用空調装置。
【請求項３】
前記制御装置は、コンプレッサが停止中であるときに、前記ナビゲーション装置から受信する自車が道路外から道路上に移動したという第２の移動情報又は室内温度と室内設定温度との差が所定値以上であるという第２の温度情報に基づいてコンプレッサを運転させることを特徴とする請求項１又は２記載の車両用空調装置。
【発明の詳細な説明】
【技術分野】
【０００１】
本発明は、エネルギー消費を抑えることができる車両用空調装置に関する。
【背景技術】
【０００２】
従来から、自分が運転する車（以下、「自車」と記す。）が目的地に到着して駐車動作をすると、エアコンが停止されて、エンジンのエネルギー消費を抑えることができる車両用空調装置が知られている（例えば、特許文献１（図３）参照。）。
【０００３】
特許文献１の作動を図６に基づいて説明する。
図６に示すように、従来のナビゲーションシステムは乗員が設定した目的地情報を読み込む（ＳＴ１００）。読み込まれた目的地情報に基づいて、ナビゲーションシステムは、自車が設定した目的地に到着したかどうかを判断する（ＳＴ１０１）。到着が確認されると、駐車動作のありなしを判断し（ＳＴ１０２）、駐車動作が検出されると、エアコンを停止させる（ＳＴ１０３）。
【０００４】
このように自車が目的地に到着して駐車動作をすると、エアコンが停止されるので、エンジンのエネルギー消費を抑えることができる。
【０００５】
すなわち、特許文献１の技術では、乗員が目的地情報をナビゲーションシステムに設定することが必須となる。
従って、駐車状態から次の走行へ移行するときに、乗員は改めて次の目的地情報をナビゲーションシステムに設定する必要がある。
【０００６】
つまり、乗員は乗車する度にナビゲーションシステムに目的地を設定する必要があり、もし設定を忘れてしまうと、エネルギー消費を抑えることができない。
【先行技術文献】
【特許文献】
【０００７】
【特許文献１】特開２００６−１９４１２８公報
【発明の概要】
【発明が解決しようとする課題】
【０００８】
本発明は、目的地の設定をしなくてもエネルギー消費を抑えることが可能な車両用空調装置を提供することを課題とする。
【課題を解決するための手段】
【０００９】
請求項１に係る発明は、ナビゲーション装置からの自車位置情報を使ってコンプレッサの作動を制御する制御装置を備えた車両用空調装置であって、前記制御装置は、コンプレッサが作動中であるという第１のコンプレッサ作動情報と、前記ナビゲーション装置から受信する自車が道路上から道路外に移動したという第１の移動情報とからなる２つの情報に基づいてコンプレッサを停止させることを特徴とする。
【００１０】
請求項２に係る発明は、制御装置は、第１のコンプレッサ作動情報と、第１の移動情報と、室内温度と室内設定温度との差が所定値未満であるという第１の温度情報とからなる３つの情報に基づいてコンプレッサを停止させることを特徴とする。
【００１１】
請求項３に係る発明は、前記制御装置は、コンプレッサが停止中であるときに、前記ナビゲーション装置から受信する自車が道路外から道路上に移動したという第２の移動情報又は室内温度と室内設定温度との差が所定値以上であるという第２の温度情報に基づいてコンプレッサを運転させることを特徴とする。
【発明の効果】
【００１２】
請求項１に係る発明によれば、自車が道路上から道路外に移動したかどうかはナビゲーション装置で判断できるため、目的地を設定しなくても、エネルギー消費を抑えることができる。
【００１３】
また請求項１に係る発明によれば、乗車する度に目的地の設定をする必要がないので、エネルギー消費を抑える上で利便性が向上し、自車が道路上から道路外に移動する度にエネルギー消費を抑えることができるので、目的地の設定を行わない日常の走行において、特にエネルギー消費を抑えることができる。
【００１４】
さらに請求項１に係る発明によれば、従来技術とは異なり、駐車動作の前からコンプレッサを停止するので、従来技術よりも省エネ効果が大きい。
【００１５】
請求項２に係る発明によれば、制御装置は自車が道路上から道路外に移動した場合でも室内温度と室内設定温度との差が所定値以上であればコンプレッサを停止しないので、エネルギー消費を抑えることよりも車内での快適性を重視した制御ができる。
【００１６】
請求項３に係る発明によれば、制御装置はコンプレッサが停止しているときに自車が道路外から道路上に移動したとき又は室内温度と室内設定温度との差が所定値以上であれば、コンプレッサを作動させる。すなわち、自車が道路外から道路上に移動したときは走行状態に戻ったと判断でき、またコンプレッサを停止した後に室内温度と室内設定温度との差が所定値以上となったときは乗員は降車せずに乗車したままでいると判断できることによるもので、上記いずれの場合においても、コンプレッサを運転させるので、快適性を回復できる。
【図面の簡単な説明】
【００１７】
【図１】本発明の全体構成を示すブロック図である。
【図２】本発明の実施例１における作動を説明するフロー図である。
【図３】本発明の実施例２における作動を説明するフロー図である。
【図４】本発明の実施例３における作動を説明するフロー図である。
【図５】本発明の実施例４における作動を説明するフロー図である。
【図６】従来技術の作動を説明するフロー図である。
【発明を実施するための形態】
【００１８】
以下、本発明の実施の形態を添付図に基づいて説明する。なお、図面は符号の向きに見るものとする。
【実施例１】
【００１９】
先ず、本発明の実施例１を図面に基づいて説明する。
図１に示すように、車両用空調装置３０は、ナビゲーション装置１０から送信される自車位置情報に基づいたコンプレッサ３２の作動を制御する制御装置２０を備える。
【００２０】
ナビゲーション装置１０は、ＧＰＳ（Ｇｌｏｂａｌ  Ｐｏｓｉｔｉｏｎｉｎｇ  Ｓｙｓｔｅｍ）衛星からの受信情報とデータベースに記憶されている地図情報に基づいて、自車の現在地や乗員が設定した目的地までの経路案内情報などをディスプレイ画面上に表示する。
【００２１】
車両用空調装置３０は、コンプレッサ３２、凝縮器３４、膨張弁３６、蒸発器３８からなる冷凍サイクルを備える。すなわち、コンプレッサ３２から高温・高圧の気体冷媒が凝縮器３４に放出されると、放出された気体冷媒は凝縮器３４で放熱され、高温・高圧の液体冷媒が生成される。生成された液体冷媒は、膨張弁３６で膨張されて低温・低圧の液体冷媒に変化し、さらに蒸発器３８で吸熱されることによって、低温・低圧の気体冷媒が生成される。
【００２２】
制御装置２０は、自車の位置情報に基づいてコンプレッサ３２の作動を制御するために、ナビゲーション装置１０とデータ通信を行う。
ナビゲーション装置１０は、自車の位置情報によって自車が道路外に移動したかどうかを判断する。
制御装置２０は、自車が道路上から道路外に移動した旨の情報をナビゲーション装置１０から受信した場合、コンプレッサ３２が作動を停止するように制御する。この場合、制御装置２０は、コンプレッサ３２が停止した旨の情報をディスプレイ画面上に表示するようにしてもよい。
【００２３】
また、制御装置２０には、室内温度Ｔｒ及び室内設定温度Ｔｓｅｔ情報が入力される。制御装置２０は、室内温度Ｔｒと室内設定温度Ｔｓｅｔとの差が所定値以上であると判断すると、自車が道路上から道路外に移動した場合でもコンプレッサ３２を運転するように制御する。
【００２４】
さらに、制御装置２０は、コンプレッサ３２を停止した後に、ナビゲーション装置１０から自車が道路外から道路上に移動したという旨の情報を受信した場合、または室内温度Ｔｒと室内設定温度Ｔｓｅｔとの差が所定値以上であると判断した場合、コンプレッサ３２を作動させる。
【００２５】
次に、本発明の実施例１の作動を説明する。
図２において、まず制御装置２０は、コンプレッサ３２が作動しているかどうかを判断する（ＳＴ１０）。
ＳＴ１０でコンプレッサが作動していることを確認できたら、制御装置２０は、ナビゲーション装置１０に、自車が道路上から道路外に移動したかどうかを確認する（ＳＴ１１）。
ＳＴ１１で自車が道路上から道路外に移動したことを確認できたら、制御装置２０は、コンプレッサ３２を停止させる。
【００２６】
以上に実施例１を説明したが、この実施例１に温度情報を加味することができる。温度情報を加味した実施例２を以下に説明する。
【実施例２】
【００２７】
次に、実施例２の作動を説明する。なお、ステップの一部は図２と重複するが、図３では、全ステップを示した。
図３において、まず制御装置２０は、コンプレッサ３２が作動しているかどうかを判断する（ＳＴ２０）。
ＳＴ２０でコンプレッサが作動していることを確認できたら、制御装置２０は、ナビゲーション装置１０に、自車が道路上から道路外に移動したかどうかを確認する（ＳＴ２１）。
ＳＴ２１で自車が道路上から道路外に移動したことを確認できたら、制御装置２０は、室内温度と室内設定温度との差が所定値未満であるかどうかを判断する（ＳＴ２２）。
ＳＴ２２で室内温度と室内設定温度との差が所定値未満であることを確認できたら、制御装置２０は、コンプレッサ３２を停止させる。
【００２８】
以上に実施例２を説明したが、実施例１又は２にコンプレッサを停止させた後の制御を追加することができる。コンプレッサを停止させた後の制御を追加した実施例３を以下に説明する。
【実施例３】
【００２９】
次に、実施例３の作動を説明する。
図４において、まず制御装置２０は、ナビゲーション装置１０に、自車が道路外から道路上に移動したかどうかを確認する（ＳＴ３０）。
ＳＴ３０で自車が道路外から道路上に移動したことを確認できたら、制御装置２０は、コンプレッサ３２を運転させる。
【００３０】
以上に実施例３を説明したが、この実施例３に温度情報を加味することができる。温度情報を加味した実施例４を以下に説明する。
【実施例４】
【００３１】
次に、実施例４の作動を説明する。なお、ステップの一部は図４と重複するが、図５では、全ステップを示した。
図５において、まず制御装置２０は、ナビゲーション装置１０に、自車が道路外から道路上に移動したかどうかを確認する（ＳＴ４０）。
ＳＴ４０で自車が道路外から道路上に移動したことを確認できたら、制御装置２０は、コンプレッサ３２を運転させる。
ＳＴ４０で自車が道路外から道路上に移動したことを確認できなかったら、制御装置２０は、室内温度と室内設定温度との差が所定値以上であるかどうかを判断する（ＳＴ４１）。
ＳＴ４１で室内温度と室内設定温度との差が所定値以上であることを確認できたら、制御装置２０は、コンプレッサ３２を運転させる。
【００３２】
以上、添付図面を参照しながら、本発明の好適な実施例を説明したが、本発明は係る実施例に限定されない。例えば、実施例ではエンジン駆動のコンプレッサに適用したが、電動コンプレッサにも適用可能であり、エンジン駆動であれば燃料消費となり、電動コンプレッサであれば電力消費となる。
【産業上の利用可能性】
【００３３】
本発明は、ナビゲーション装置からの自車位置情報を使ってコンプレッサの作動を制御する制御装置を備えた車両用空調装置に好適である。
【符号の説明】
【００３４】
１０…ナビゲーション装置、２０…制御装置、３０…車両用空調装置、３２…コンプレッサ、３４…凝縮器、３６…膨張弁、３８…蒸発器。
【図１】
2010228499.tif 000003
【図２】
2010228499.tif 000004
【図３】
2010228499.tif 000005
【図４】
2010228499.tif 000006
【図５】
2010228499.tif 000007
【図６】
2010228499.tif 000008